(57)【要約】【課題】利用ユーザが自身の友人の友人関係の構築を仲介した際に、利用ユーザに対してインセンティブを付与すること。【解決手段】仲介装置１０は、関係記憶部１２０、仲介友人リスト抽出部１３０、仲介友人リスト提供部１６０、友人候補受付部１７０、友人候補ペア特定部１８０、構築要求送信部１９０、更新部２００、およびインセンティブ付与部２１０を備える。仲介装置１０は、アプリケーションやＷｅｂを利用したサービス内またはサービス間における友人関係の構築を仲介する旨の申請要求を利用ユーザから受信したことに応じて、利用ユーザの友人のうち互いに友人関係にない友人に対し、友人関係の構築を求める構築要求を送信する。そして仲介装置１０は、構築要求が承認されたことに応じて、友人関係を構築するとともに、仲介した利用ユーザにインセンティブを付与する。【選択図】図２
2015176419.tif 000002
【特許請求の範囲】
【請求項１】
アプリケーションやＷｅｂを利用したサービス内またはサービス間における、ユーザ間の友人関係の構築を仲介する仲介装置であって、
前記サービス内におけるユーザ間の友人関係を記憶する関係記憶手段と、
前記ユーザ間の友人関係の構築を仲介する仲介ユーザから、当該仲介の申請要求を受け付ける申請要求受付手段と、
前記申請要求を受け付けたことに応じて、前記関係記憶手段を参照して、前記仲介ユーザと友人関係にあるユーザからなる友人グループ内で友人関係にないユーザ同士を対応付けた仲介友人リストを抽出する仲介友人リスト抽出手段と、
抽出された仲介友人リストを前記仲介ユーザに提供する仲介友人リスト提供手段と、
前記仲介友人リストの中から前記仲介ユーザが選択した、前記友人グループ内で友人関係にないユーザ同士を受け付ける友人候補受付手段と、
前記友人候補受付手段で受け付けた前記友人グループ内で友人関係にないユーザ同士から友人候補ペアを特定する友人候補ペア特定手段と、
前記友人候補ペア特定手段で特定された友人候補ペアに友人関係の構築を求める構築要求を送信する構築要求送信手段と、
前記友人候補ペアの両方からの前記構築要求に対する応答が、当該構築要求を承認したことを示す場合には、前記友人候補ペアの友人関係が構築されるように、前記関係記憶手段を更新する更新手段と、
前記関係記憶手段が更新されたことに応じて、インセンティブを前記仲介ユーザに付与するインセンティブ付与手段と、
を備える仲介装置。
【請求項２】
サービスの活性化に貢献するユーザの活動履歴を記憶する活動履歴記憶手段と、
前記活動履歴記憶手段を参照して、抽出された仲介友人リストの各ユーザに優先順位を付与するユーザ優先順位付与手段と、
を備え、
前記仲介友人リスト提供手段が、前記抽出された仲介友人リストと併せて、当該仲介友人リストの各ユーザに前記ユーザ優先順位付与手段で付与された優先順位を、前記仲介ユーザに提供することを特徴とする請求項１に記載の仲介装置。
【請求項３】
前記インセンティブ付与手段が、前記友人関係が構築されるように前記関係記憶手段が更新された友人候補ペアの各ユーザに前記ユーザ優先順位付与手段で付与された優先順位に応じて、前記仲介ユーザに付与するインセンティブを決定することを特徴とする請求項２に記載の仲介装置。
【請求項４】
前記友人候補ペア特定手段が、抽出された仲介友人リストから、前記友人候補ペアを特定することを特徴とする請求項１に記載の仲介装置。
【請求項５】
サービスの活性化に貢献するユーザの活動履歴を記憶する活動履歴記憶手段と、
活動履歴記憶手段を参照して、特定された友人候補ペアに優先順位を付与するペア優先順位付与手段と、
前記優先順位が付与された友人候補ペアを、前記仲介ユーザに提供する友人候補ペア提供手段と、
前記友人候補ペアの中から前記仲介ユーザが選択した友人候補ペアの受け付ける友人候補ペア受付手段と、
を備えることを特徴とする請求項４に記載の仲介装置。
【請求項６】
前記インセンティブ付与手段が、前記友人関係が構築されるように前記関係記憶手段が更新された友人候補ペアに前記ペア優先順位付与手段で付与された優先順位に応じて、前記仲介ユーザに付与するインセンティブを決定することを特徴とする請求項５に記載の仲介装置。
【請求項７】
前記仲介ユーザおよび前記友人候補ペアと友人関係にあるユーザを、仲介支援ユーザとして、前記関係記憶手段から抽出する仲介支援ユーザ抽出手段と、
抽出された仲介支援ユーザに前記友人候補ペアの仲介支援の承認要求を送信する仲介要求手段と、
前記承認要求に応じて、前記友人候補ペアの仲介支援が前記仲介支援ユーザから承認された場合に、前記仲介支援ユーザを当該友人候補ペアに通知する仲介支援ユーザ通知手段と、
を備え、
前記インセンティブ付与手段が、前記関係記憶手段が更新されたことに応じて、インセンティブを前記仲介支援ユーザに付与することを特徴とする請求項１から請求項６のいずれかに記載の仲介装置。
【請求項８】
前記インセンティブ付与手段が、前記友人関係が構築されるように前記関係記憶手段が更新された友人候補ペアに、インセンティブを付与することを特徴とする請求項１から請求項７のいずれかに記載の仲介装置。
【請求項９】
アプリケーションやＷｅｂを利用したサービス内またはサービス間における、ユーザ間の友人関係の構築を仲介する仲介装置と接続され、当該仲介を行う仲介ユーザの仲介ユーザ端末であって、
前記ユーザ間の友人関係の構築を仲介すること申請する申請要求を送信する申請要求送信手段と、
前記サービス内におけるユーザ間の友人関係を記憶する関係記憶手段を備える前記仲介装置から、前記仲介ユーザと友人関係にあるユーザからなる友人グループ内で友人関係にないユーザ同士を対応付けた仲介友人リストを取得する仲介友人リスト取得手段と、
前記仲介友人リストの中から前記仲介ユーザが選択した、前記友人グループ内で友人関係にないユーザ同士を送信する友人候補送信手段と、
前記友人候補送信手段で送信した前記友人グループ内で友人関係にないユーザ同士から前記仲介装置で特定された友人候補ペアの友人関係が構築された否かの結果を受信する結果受信手段と、
を備えることを特徴とする仲介ユーザ端末。
【請求項１０】
アプリケーションやＷｅｂを利用したサービス内またはサービス間における、ユーザ間の友人関係の構築を仲介する仲介装置における仲介方法であって、
前記仲介装置が、前記サービス内におけるユーザ間の友人関係を記憶する関係記憶手段、申請要求受付手段、仲介友人リスト抽出手段、仲介友人リスト提供手段、友人候補受付手段、友人候補ペア特定手段、構築要求送信手段、更新手段、およびインセンティブ付与手段を備え、
前記申請要求受付手段が、前記ユーザ間の友人関係の構築を仲介する仲介ユーザから、当該仲介の申請要求を受け付ける第１のステップと、
前記仲介友人リスト抽出手段が、前記申請要求を受け付けたことに応じて、前記関係記憶手段を参照して、前記仲介ユーザと友人関係にあるユーザからなる友人グループ内で友人関係にないユーザ同士を対応付けた仲介友人リストを抽出する第２のステップと、
前記仲介友人リスト提供手段が、抽出された仲介友人リストを前記仲介ユーザに提供する第３のステップと、
前記友人候補受付手段が、前記第３のステップで提供された前記仲介友人リストの中から前記仲介ユーザが選択した、前記友人グループ内で友人関係にないユーザ同士を受け付ける第４のステップと、
前記友人候補ペア特定手段が、前記第４のステップで受け付けた前記友人グループ内で友人関係にないユーザ同士から友人候補ペアを特定する第５のステップと、
前記構築要求送信手段が、前記第５のステップで特定した友人候補ペアに友人関係の構築を求める構築要求を送信する第６のステップと、
前記更新手段が、前記友人候補ペアの両方からの前記構築要求に対する応答が、当該構築要求を承認したことを示す場合には、前記友人候補ペアの友人関係が構築されるように、前記関係記憶手段を更新する第７のステップと、
前記インセンティブ付与手段が、前記関係記憶手段が更新されたことに応じて、インセンティブを前記仲介ユーザに付与する第８のステップと、
を含む仲介方法。
【請求項１１】
アプリケーションやＷｅｂを利用したサービス内またはサービス間における、ユーザ間の友人関係の構築を仲介する仲介装置における仲介方法をコンピュータに実行させるためのプログラムであって、
前記仲介装置が、前記サービス内におけるユーザ間の友人関係を記憶する関係記憶手段、申請要求受付手段、仲介友人リスト抽出手段、仲介友人リスト提供手段、友人候補受付手段、友人候補ペア特定手段、構築要求送信手段、更新手段、およびインセンティブ付与手段を備え、
前記申請要求受付手段が、前記ユーザ間の友人関係の構築を仲介する仲介ユーザから、当該仲介の申請要求を受け付ける第１のステップと、
前記仲介友人リスト抽出手段が、前記申請要求を受け付けたことに応じて、前記関係記憶手段を参照して、前記仲介ユーザと友人関係にあるユーザからなる友人グループ内で友人関係にないユーザ同士を対応付けた仲介友人リストを抽出する第２のステップと、
前記仲介友人リスト提供手段が、抽出された仲介友人リストを前記仲介ユーザに提供する第３のステップと、
前記友人候補受付手段が、前記第３のステップで提供された前記仲介友人リストの中から前記仲介ユーザが選択した、前記友人グループ内で友人関係にないユーザ同士を受け付ける第４のステップと、
前記友人候補ペア特定手段が、前記第４のステップで受け付けた前記友人グループ内で友人関係にないユーザ同士から友人候補ペアを特定する第５のステップと、
前記構築要求送信手段が、前記第５のステップで特定した友人候補ペアに友人関係の構築を求める構築要求を送信する第６のステップと、
前記更新手段が、前記友人候補ペアの両方からの前記構築要求に対する応答が、当該構築要求を承認したことを示す場合には、前記友人候補ペアの友人関係が構築されるように、前記関係記憶手段を更新する第７のステップと、
前記インセンティブ付与手段が、前記関係記憶手段が更新されたことに応じて、インセンティブを前記仲介ユーザに付与する第８のステップと、
をコンピュータに実行させるためのプログラム。
【発明の詳細な説明】
【技術分野】
【０００１】
本発明は、アプリケーションやＷｅｂを利用したサービス内またはサービス間における、ユーザ間の友人関係の構築を仲介し、仲介に対してインセンティブを付与する仲介装置、仲介ユーザ端末、仲介方法、およびプログラムに関する。
【背景技術】
【０００２】
アプリケーション（以下、アプリという）の利用者を増やすための技術がある。例えば、複数ユーザが利用する仮想現実空間において、コミュニティの維持・拡張に寄与する、新たなユーザを招待する行動に対して、インセンティブを付与する技術が提案されている（特許文献１参照）。また、あるアプリケーションにおいて友人であるユーザを他のアプリケーションへ招待し、招待されたユーザが他のアプリを開始した場合に、インセンティブを付与する技術も提案されている（特許文献２参照）。
【０００３】
一方で、アプリ内での友人関係を密にするために、Ｆａｃｅｂｏｏｋ（登録商標）においては、「友人を紹介する」機能があり、利用ユーザ自身の友人群のうち、いまだ友人関係に無いユーザ同士を仲介することが可能である。具体的には、利用ユーザは、任意に２名の友人ユーザＡ，Ｂを選択して、ユーザＡにユーザＢを紹介する形態で仲介を行う。
【先行技術文献】
【特許文献】
【０００４】
【特許文献１】特開２０１２−０１４６７６号公報
【特許文献２】特開２０１３−１７８７５１号公報
【発明の概要】
【発明が解決しようとする課題】
【０００５】
しかしながら、特許文献１および２に記載の技術は、ユーザ自身が友人関係を構築したことに対して、インセンティブを付与するものであるため、アプリの友人関係を拡張することはできるが、密にすることができないという問題点があった。また、Ｆａｃｅｂｏｏｋの「友人を紹介する」機能では、ユーザ自身の友人同士を結びつけることはできるが、ユーザ自身にはなんらメリットはないために、活発におこなわれていないという問題点があった。
【０００６】
そこで、本発明は上記課題に鑑み、利用ユーザが自身の友人の友人関係の構築を仲介した際に、利用ユーザに対してインセンティブを付与する仲介装置、仲介ユーザ端末、仲介方法、およびプログラムを提供することを目的とする。
【課題を解決するための手段】
【０００７】
本発明は、上記の課題を解決するために、以下の事項を提案している。なお、理解を容易にするために、本発明の実施形態に対応する符号を付して説明するが、これに限定されるものではない。
【０００８】
（１）  本発明は、アプリケーションやＷｅｂを利用したサービス内またはサービス間における、ユーザ間の友人関係の構築を仲介する仲介装置であって、前記サービス内におけるユーザ間の友人関係を記憶する関係記憶手段（例えば、図２の関係記憶部１２０）と、前記ユーザ間の友人関係の構築を仲介する仲介ユーザから、当該仲介の申請要求を受け付ける申請要求受付手段（例えば、図２の申請要求受付部１１０）と、前記申請要求を受け付けたことに応じて、前記関係記憶手段を参照して、前記仲介ユーザと友人関係にあるユーザからなる友人グループ内で友人関係にないユーザ同士を対応付けた仲介友人リストを抽出する仲介友人リスト抽出手段（例えば、図２の仲介友人リスト抽出部１３０）と、抽出された仲介友人リストを前記仲介ユーザに提供する仲介友人リスト提供手段（例えば、図２の仲介友人リスト提供部１６０）と、前記仲介友人リストの中から前記仲介ユーザが選択した、前記友人グループ内で友人関係にないユーザ同士を受け付ける友人候補受付手段（例えば、図２の友人候補受付部１７０）と、前記友人候補受付手段で受け付けた前記友人グループ内で友人関係にないユーザ同士から友人候補ペアを特定する友人候補ペア特定手段（例えば、図２の友人候補ペア特定部１８０）と、前記友人候補ペア特定手段で特定された友人候補ペアに友人関係の構築を求める構築要求を送信する構築要求送信手段（例えば、図２の構築要求送信部１９０）と、前記友人候補ペアの両方からの前記構築要求に対する応答が、当該構築要求を承認したことを示す場合には、前記友人候補ペアの友人関係が構築されるように、前記関係記憶手段を更新する更新手段（例えば、図２の更新部２００）と、前記関係記憶手段が更新されたことに応じて、インセンティブを前記仲介ユーザに付与するインセンティブ付与手段（例えば、図２のインセンティブ付与部２１０）と、を備える仲介装置を提案している。
【０００９】
したがって、友人関係構築の仲介に対してインセンティブを付与することによって、友人関係構築の仲介を誘発することができ、また、友人からの仲介を受けることで友人関係を構築しやすくすることができる。また、ユーザ自身の友人同士の友人関係構築が構築されやすくなることで、友人関係を拡張するとともに友人関係のつながりを密にすることができる。
【００１０】
（２）  本発明は、（１）の仲介装置について、サービスの活性化に貢献するユーザの活動履歴を記憶する活動履歴記憶手段（例えば、図２の活動履歴記憶部１４０）と、前記活動履歴記憶手段を参照して、抽出された仲介友人リストの各ユーザに優先順位を付与するユーザ優先順位付与手段（例えば、図２のユーザ優先順位付与部１５０）と、を備え、前記仲介友人リスト提供手段が、前記抽出された仲介友人リストと併せて、当該仲介友人リストの各ユーザに前記ユーザ優先順位付与手段で付与された優先順位を、前記仲介ユーザに提供することを特徴とする仲介装置を提案している。
【００１１】
したがって、サービスの活性化に対する貢献度に基づいて、友人関係構築を推奨する順番を優先順位として友人ユーザに付与することにより、アプリにとって有効な友人関係構築の仲介を誘発することができる。
【００１２】
（３）  本発明は、（２）の仲介装置について、前記インセンティブ付与手段が、前記友人関係が構築されるように前記関係記憶手段が更新された友人候補ペアの各ユーザに前記ユーザ優先順位付与手段で付与された優先順位に応じて、前記仲介ユーザに付与するインセンティブを決定することを特徴とする仲介装置を提案している。
【００１３】
したがって、仲介ユーザが仲介したことで友人関係を構築した友人ユーザに付けられた、友人関係構築を推奨する順番である優先順位に応じて、仲介ユーザのインセンティブを決定することができるので、アプリにとって有効な友人関係構築の仲介を誘発することができる。
【００１４】
（４）  本発明は、（１）の仲介装置について、前記友人候補ペア特定手段が、抽出された仲介友人リストから、前記友人候補ペアを特定することを特徴とする仲介装置を提案している。
【００１５】
したがって、仲介ユーザが友人関係構築の仲介を行う、友人ユーザのペアを自動的に作成することができる。
【００１６】
（５）  本発明は、（４）の仲介装置について、サービスの活性化に貢献するユーザの活動履歴を記憶する活動履歴記憶手段（例えば、図５の活動履歴記憶部１４０）と、活動履歴記憶手段を参照して、特定された友人候補ペアに優先順位を付与するペア優先順位付与手段（例えば、図５のペア優先順位付与部２７０）と、前記優先順位が付与された友人候補ペアを、前記仲介ユーザに提供する友人候補ペア提供手段（例えば、図５の友人候補ペア提供部２８０）と、前記友人候補ペアの中から前記仲介ユーザが選択した友人候補ペアの受け付ける友人候補ペア受付手段（例えば、図５の友人候補ペア受付部２９０）と、を備えることを特徴とする仲介装置を提案している。
【００１７】
したがって、サービスの活性化に対する貢献度に基づいて、友人関係構築の仲介を推奨する順番を優先順位として友人候補ペアに付与することにより、アプリにとって有効な友人関係構築の仲介を誘発することができる。
【００１８】
（６）  本発明は、（５）の仲介装置について、前記インセンティブ付与手段が、前記友人関係が構築されるように前記関係記憶手段が更新された友人候補ペアに前記ペア優先順位付与手段で付与された優先順位に応じて、前記仲介ユーザに付与するインセンティブを決定することを特徴とする仲介装置を提案している。
【００１９】
したがって、仲介ユーザが仲介したことで友人関係を構築したペアに付けられた、友人関係構築の仲介を推奨する順番である優先順位に応じて、仲介ユーザのインセンティブを決定することができるので、アプリにとって有効な友人関係構築の仲介を誘発することができる。
【００２０】
（７）  本発明は、（１）から（６）の仲介装置について、前記仲介ユーザおよび前記友人候補ペアと友人関係にあるユーザを、仲介支援ユーザとして、前記関係記憶手段から抽出する仲介支援ユーザ抽出手段（例えば、図２の仲介支援ユーザ抽出部２４０）と、抽出された仲介支援ユーザに前記友人候補ペアの仲介支援の承認要求を送信する仲介要求手段（例えば、図２の仲介要求部２５０）と、前記承認要求に応じて、前記友人候補ペアの仲介支援が前記仲介支援ユーザから承認された場合に、前記仲介支援ユーザを当該友人候補ペアに通知する仲介支援ユーザ通知手段（例えば、図２の仲介支援ユーザ通知部２６０）と、を備え、前記インセンティブ付与手段が、前記関係記憶手段が更新されたことに応じて、インセンティブを前記仲介支援ユーザに付与することを特徴とする仲介装置を提案している。
【００２１】
したがって、仲介ユーザおよび友人候補ペアと友人関係にあるユーザにインセンティブを付与することで仲介の支援を促すことができるとともに、友人候補ペアは複数ユーザが仲介を支援していることが通知されることで、より友人関係を構築しやすくすることができる。
【００２２】
（８）  本発明は、（１）から（７）の仲介装置について、前記インセンティブ付与手段が、前記友人関係が構築されるように前記関係記憶手段が更新された友人候補ペアに、インセンティブを付与することを特徴とする仲介装置を提案している。
【００２３】
したがって、友人関係の構築が仲介されたユーザにもインセンティブを付与することにより、仲介ユーザによって仲介された友人関係を受け入れやすくする。
【００２４】
（９）  本発明は、アプリケーションやＷｅｂを利用したサービス内またはサービス間における、ユーザ間の友人関係の構築を仲介する仲介装置と接続され、当該仲介を行う仲介ユーザの仲介ユーザ端末であって、前記ユーザ間の友人関係の構築を仲介することを申請する申請要求を送信する申請要求送信手段（例えば、図３の申請要求送信部３１０）と、前記サービス内におけるユーザ間の友人関係を記憶する関係記憶手段を備える前記仲介装置から、前記仲介ユーザと友人関係にあるユーザからなる友人グループ内で友人関係にないユーザ同士を対応付けた仲介友人リストを取得する仲介友人リスト取得手段（例えば、図３の仲介友人リスト取得部３２０）と、前記仲介友人リストの中から前記仲介ユーザが選択した、前記友人グループ内で友人関係にないユーザ同士を送信する友人候補送信手段（例えば、図３の友人候補送信部３３０）と、前記友人候補送信手段で送信した前記友人グループ内で友人関係にないユーザ同士から前記仲介装置で特定された友人候補ペアの友人関係が構築された否かの結果を受信する結果受信手段（例えば、図３の結果受信部３４０）と、を備えることを特徴とする仲介ユーザ端末を提案している。
【００２５】
したがって、ユーザ自身の友人同士の友人関係が構築しやすいように、友人関係構築の仲介をすることができる。また、ユーザ自身の友人同士の友人関係構築が構築されやすくなることで、友人関係を拡張するとともに友人関係のつながりを密にすることができる。
【００２６】
（１０）  本発明は、アプリケーションやＷｅｂを利用したサービス内またはサービス間における、ユーザ間の友人関係の構築を仲介する仲介装置における仲介方法であって、前記仲介装置が、前記サービス内におけるユーザ間の友人関係を記憶する関係記憶手段、申請要求受付手段、仲介友人リスト抽出手段、仲介友人リスト提供手段、友人候補受付手段、友人候補ペア特定手段、構築要求送信手段、更新手段、およびインセンティブ付与手段を備え、前記申請要求受付手段が、前記ユーザ間の友人関係の構築を仲介する仲介ユーザから、当該仲介の申請要求を受け付ける第１のステップ（例えば、図４のステップＳ１０２）と、前記仲介友人リスト抽出手段が、前記申請要求を受け付けたことに応じて、前記関係記憶手段を参照して、前記仲介ユーザと友人関係にあるユーザからなる友人グループ内で友人関係にないユーザ同士を対応付けた仲介友人リストを抽出する第２のステップ（例えば、図４のステップＳ１０３）と、前記仲介友人リスト提供手段が、抽出された仲介友人リストを前記仲介ユーザに提供する第３のステップ（例えば、図４のステップＳ１０４）と、前記友人候補受付手段が、前記第３のステップで提供された前記仲介友人リストの中から前記仲介ユーザが選択した、前記友人グループ内で友人関係にないユーザ同士を受け付ける第４のステップ（例えば、図４のステップＳ１０７）と、前記友人候補ペア特定手段が、前記第４のステップで受け付けた前記友人グループ内で友人関係にないユーザ同士から友人候補ペアを特定する第５のステップ（例えば、図４のステップＳ１０８）と、前記構築要求送信手段が、前記第５のステップで特定した友人候補ペアに友人関係の構築を求める構築要求を送信する第６のステップ（例えば、図４のステップＳ１０９）と、前記更新手段が、前記友人候補ペアの両方からの前記構築要求に対する応答が、当該構築要求を承認したことを示す場合には、前記友人候補ペアの友人関係が構築されるように、前記関係記憶手段を更新する第７のステップ（例えば、図４のステップＳ１１０、Ｓ１１１）と、前記インセンティブ付与手段が、前記関係記憶手段が更新されたことに応じて、インセンティブを前記仲介ユーザに付与する第８のステップ（例えば、図４のステップＳ１１２）と、を含む仲介方法を提案している。
【００２７】
したがって、友人関係構築の仲介に対してインセンティブを付与することによって、友人関係構築の仲介を誘発することができ、また、友人からの仲介を受けることで友人関係を構築しやすくすることができる。また、ユーザ自身の友人同士の友人関係構築が構築されやすくなることで、友人関係を拡張するとともに友人関係のつながりを密にすることができる。
【００２８】
（１１）  本発明は、アプリケーションやＷｅｂを利用したサービス内またはサービス間における、ユーザ間の友人関係の構築を仲介する仲介装置における仲介方法をコンピュータに実行させるためのプログラムであって、前記仲介装置が、前記サービス内におけるユーザ間の友人関係を記憶する関係記憶手段、申請要求受付手段、仲介友人リスト抽出手段、仲介友人リスト提供手段、友人候補受付手段、友人候補ペア特定手段、構築要求送信手段、更新手段、およびインセンティブ付与手段を備え、前記申請要求受付手段が、前記ユーザ間の友人関係の構築を仲介する仲介ユーザから、当該仲介の申請要求を受け付ける第１のステップ（例えば、図４のステップＳ１０２）と、前記仲介友人リスト抽出手段が、前記申請要求を受け付けたことに応じて、前記関係記憶手段を参照して、前記仲介ユーザと友人関係にあるユーザからなる友人グループ内で友人関係にないユーザ同士を対応付けた仲介友人リストを抽出する第２のステップ（例えば、図４のステップＳ１０３）と、前記仲介友人リスト提供手段が、抽出された仲介友人リストを前記仲介ユーザに提供する第３のステップ（例えば、図４のステップＳ１０４）と、前記友人候補受付手段が、前記第３のステップで提供された前記仲介友人リストの中から前記仲介ユーザが選択した、前記友人グループ内で友人関係にないユーザ同士を受け付ける第４のステップ（例えば、図４のステップＳ１０７）と、前記友人候補ペア特定手段が、前記第４のステップで受け付けた前記友人グループ内で友人関係にないユーザ同士から友人候補ペアを特定する第５のステップ（例えば、図４のステップＳ１０８）と、前記構築要求送信手段が、前記第５のステップで特定した友人候補ペアに友人関係の構築を求める構築要求を送信する第６のステップ（例えば、図４のステップＳ１０９）と、前記更新手段が、前記友人候補ペアの両方からの前記構築要求に対する応答が、当該構築要求を承認したことを示す場合には、前記友人候補ペアの友人関係が構築されるように、前記関係記憶手段を更新する第７のステップ（例えば、図４のステップＳ１１０、Ｓ１１１）と、前記インセンティブ付与手段が、前記関係記憶手段が更新されたことに応じて、インセンティブを前記仲介ユーザに付与する第８のステップ（例えば、図４のステップＳ１１２）と、をコンピュータに実行させるためのプログラムを提案している。
【００２９】
したがって、友人関係構築の仲介に対してインセンティブを付与することによって、友人関係構築の仲介を誘発することができ、また、友人からの仲介を受けることで友人関係を構築しやすくすることができる。また、ユーザ自身の友人同士の友人関係構築が構築されやすくなることで、友人関係を拡張するとともに友人関係のつながりを密にすることができる。
【発明の効果】
【００３０】
本発明によれば、友人関係構築の仲介に対してインセンティブを付与することによって、友人関係構築の仲介を誘発することができ、また、友人からの仲介を受けることで友人関係を構築しやすくすることができる。また、ユーザ自身の友人同士の友人関係構築が構築されやすくなることで、友人関係を拡張するとともに友人関係のつながりを密にすることができる。
【図面の簡単な説明】
【００３１】
【図１】本発明の第１の実施形態に係る仲介システムの機能構成を示す図である。
【図２】本発明の第１の実施形態に係る仲介装置の機能構成を示す図である。
【図３】本発明の第１の実施形態に係る仲介ユーザ端末の機能構成を示す図である。
【図４】本発明の第１の実施形態に係る仲介システムの処理フローを示す図である。
【図５】本発明の第２の実施形態に係る仲介装置の機能構成を示す図である。
【図６】本発明の第２の実施形態に係る仲介ユーザ端末の機能構成を示す図である。
【発明を実施するための形態】
【００３２】
以下、図面を用いて、本発明の実施形態について詳細に説明する。なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３３】
＜第１の実施形態＞
＜仲介システムの機能構成＞
図１は、本発明の実施形態に係る仲介システム１の機能構成を示す図である。仲介システム１は、アプリケーション（以下、アプリという）やＷｅｂを利用したサービス内またはサービス間における、ユーザ間の友人関係構築を仲介するシステムであって、仲介装置１０と、ユーザ端末２０とから構成される。ここで、アプリを利用したサービスとは、例えば、ユーザ端末２０上で動作するオンラインゲームであって、Ｗｅｂを利用したサービスとは、例えば、Ｗｅｂ上で動作するＦａｃｅｂｏｏｋである。以下、アプリを利用したサービスの場合について説明するが、Ｗｅｂを利用したサービスについても同様である。
【００３４】
仲介装置１０は、アプリ内またはアプリ間での友人関係構築の仲介をすることができる装置であって、アプリを提供するサーバ内に備えられてもよいし、アプリを提供するサーバと接続されていてもよい。
【００３５】
ユーザ端末２０には、図１の示すように、仲介ユーザ端末３０と被仲介ユーザ端末４０とが含まれる。仲介ユーザ端末３０は、友人関係構築の仲介を行うユーザ（以下、仲介ユーザという）の端末である。一方、被仲介ユーザ端末４０は、仲介ユーザに友人関係構築の仲介を受けるユーザの端末である。なお、仲介ユーザ端末３０、および被仲介ユーザ端末４０は複数台であってもよい。
【００３６】
＜仲介装置の機能構成＞
図２は、本発明の実施形態に係る仲介装置１０の機能構成を示す図である。仲介装置１０は、図２に示すように、申請要求受付部１１０、関係記憶部１２０、仲介友人リスト抽出部１３０、活動履歴記憶部１４０、ユーザ優先順位付与部１５０、仲介友人リスト提供部１６０、友人候補受付部１７０、友人候補ペア特定部１８０、構築要求送信部１９０、更新部２００、インセンティブ付与部２１０、結果送信部２２０、履歴記憶部２３０、仲介支援ユーザ抽出部２４０、仲介要求部２５０、および仲介支援ユーザ通知部２６０を備える。
【００３７】
申請要求受付部１１０は、仲介ユーザの端末である仲介ユーザ端末３０から、仲介の申請要求を受け付ける。申請要求受付部１１０は、仲介の申請要求とともに、仲介ユーザがプレイ中のアプリのユーザ名やユーザＩＤを少なくとも取得する。仲介ユーザがプレイ中のアプリのユーザ名やユーザＩＤとともに、仲介ユーザがアカウントを有しているアプリのユーザＩＤを取得してもよい。
【００３８】
関係記憶部１２０は、アプリにおける友人関係を記憶する。関係記憶部１２０には、友人関係にあるユーザ同士が対応付けて記憶され、例えば、ユーザＡと、ユーザＢおよびユーザＣとが友人関係にある場合には、「ユーザＡ：ユーザＢ」「ユーザＡ：ユーザＣ」として記憶される。また、関係記憶部１２０は、複数のアプリの友人関係を記憶する場合には、アプリ毎に、友人関係を記憶する。
【００３９】
仲介友人リスト抽出部１３０は、申請要求受付部１１０が申請要求を受け付けたことに応じて、仲介ユーザと友人関係にあるユーザを関係記憶部１２０から抽出して、仲介ユーザの友人グループを作成する。以下、友人グループに含まれるユーザを友人ユーザという。そして、仲介友人リスト抽出部１３０は、作成した友人グループに含まれる友人ユーザ同士の友人関係の有無を、関係記憶部１２０を参照して判定し、友人関係にないユーザ同士を対応付けた仲介友人リストを抽出する。
【００４０】
友人ユーザＸ，Ｙ，Ｚを含む友人グループが作成された場合における、仲介友人リストの抽出例を説明する。まず、仲介友人リスト抽出部１３０は、友人ユーザＸ，Ｙ，Ｚそれぞれの組み合わせを順に友人関係の有無を判定する。
【００４１】
仲介友人リスト抽出部１３０は、友人関係がある組み合わせがないまま、友人ユーザＸ，Ｙ，Ｚそれぞれの全組み合わせを判定し終わった場合には、「ユーザＸ，Ｙ，Ｚ」を仲介友人リストに含める。このとき、友人ユーザＸ，Ｙ、友人ユーザＸ，Ｚ、および友人ユーザＹ，Ｚにも友人関係がないので、「ユーザＸ，Ｙ」、「ユーザＸ，Ｚ」、「ユーザＹ，Ｚ」も仲介友人リストに含める。
【００４２】
一方、友人関係がある組み合わせがあった場合には、次に、仲介友人リスト抽出部１３０は、友人ユーザＸ，Ｙ、友人ユーザＸ，Ｚ、および友人ユーザＹ，Ｚそれぞれについて、友人関係の有無を判定する。仲介友人リスト抽出部１３０は、友人関係にないと判定した組み合わせがあった場合には、友人関係がないと判定した組み合わせを友人ユーザＸ，Ｚとすると、「ユーザＸ，Ｚ」を仲介友人リストに含める。
【００４３】
友人ユーザＸ，Ｙ、友人ユーザＸ，Ｚ、および友人ユーザＹ，Ｚいずれにも友人関係があると判定された場合には、仲介友人リスト抽出部１３０は、空のリストを抽出する。
【００４４】
活動履歴記憶部１４０は、アプリサーバから取得した、アプリの活性化に貢献するユーザの活動履歴を記憶する。ユーザの活動履歴には、具体的には、ユーザＩＤに対応つけられて、アプリのプレイ時間、友人数、他のユーザとのコミュニケーション頻度、アプリ内で実施されるイベントへの参加度等が挙げられる。
【００４５】
ユーザ優先順位付与部１５０は、活動履歴記憶部１４０に記憶されている活動履歴に基づいて、仲介友人リスト抽出部１３０で抽出された仲介友人リストの各ユーザの優先順位を決定し、仲介友人リストに付与する。ここで、優先順位は、アプリを提供する事業者が、友人関係を構築させたい順番である。
【００４６】
例えば、アプリを提供する事業者がアプリからの離脱率を低下させたい場合には、友人数が少なく、コミュニケーション頻度が低い友人ユーザの優先順位を高くする。一方、アプリの利用を活性化したい場合には、友人数が多く、コミュニケーション頻度が高い友人ユーザの優先順位を高くする。このように、友人関係を構築させる目的に応じて、優先順位を決定する判断材料として使用する活動履歴や判断基準を変えることができる。
【００４７】
仲介友人リスト提供部１６０は、仲介友人リスト抽出部１３０で抽出された仲介友人リストを仲介ユーザ端末３０に提供する。仲介友人リスト提供部１６０は、ユーザ優先順位付与部１５０で友人リストに優先順位が付与された場合には、優先順位が付与された仲介友人リストを仲介ユーザ端末３０に提供する。仲介友人リスト提供部１６０は、仲介友人リスト抽出部１３０で抽出された仲介友人リストが空の場合には、仲介友人リストの代わりに、友人関係にないユーザがいない旨の通知を提供してもよい。
【００４８】
友人候補受付部１７０は、仲介ユーザ端末３０から、仲介ユーザが仲介友人リストから選択した複数のユーザを友人候補として受け付ける。
【００４９】
友人候補ペア特定部１８０は、友人候補受付部１７０で仲介ユーザ端末３０から受け付けた友人候補から友人候補ペアを特定する。友人候補ペア特定部１８０は、友人候補がユーザＸ，Ｙ，Ｚである場合には、友人候補ペア特定部１８０は、ユーザＸ，Ｙ、ユーザＸ，Ｚ、およびユーザＹ，Ｚの３つの友人候補ペアを特定する。
【００５０】
構築要求送信部１９０は、友人候補ペア特定部１８０で特定された友人候補ペアの端末（被仲介ユーザ端末４０）それぞれに相手との友人関係の構築を求める構築要求を送信する。構築要求送信部１９０は、構築要求に、仲介ユーザの名前やＩＤ、仲介履歴等を含めてもよいし、相手のプロフィールやアカウントを有するアプリの情報等を含めてもよい。
【００５１】
更新部２００は、構築要求送信部１９０で構築要求が送信された友人候補ペアの端末（被仲介ユーザ端末４０）両方からの構築要求に対する応答が、構築要求を承認したことを示す場合には、仲介成功と判断する。一方、友人候補ペアの端末（被仲介ユーザ端末４０）からの構築要求に対する応答の少なくとも一方が、構築要求を承認しなかったことを示す場合には、仲介失敗と判断する。なお、更新部２００は、構築要求に対する応答が所定時間以内にない場合には、構築要求を承認しなかったことを示す応答がされたとみなして、仲介失敗と判断する。
【００５２】
更新部２００は、仲介成功と判断した友人候補ペアについては、友人関係が構築されるように関係記憶部１２０を更新する。一方、仲介失敗と判断した友人候補ペアについては、友人関係は構築されないので関係記憶部１２０を更新しない。
【００５３】
更新部２００は、仲介ユーザ、友人候補ペア、構築要求が送信された時間、友人関係構築成功か友人関係構築失敗かを示す構築結果を含む仲介結果を作成する。友人関係構築成功は、関係記憶部１２０を更新した場合であり、友人関係構築失敗は、関係記憶部１２０を更新しなかった場合である。更新部２００は、構築結果が友人関係構築成功である場合には、仲介結果を、インセンティブ付与部２１０に送信する。一方、構築結果が友人関係構築失敗である場合には、更新部２００は、仲介結果を結果送信部２２０に送信するが、結果に関わらず仲介したことにインセンティブを付与する場合には仲介結果をインセンティブ付与部２１０に送信してもよい。
【００５４】
インセンティブ付与部２１０は、仲介結果に含まれる友人関係構築結果に応じて、インセンティブを仲介ユーザに付与する。インセンティブ付与部２１０は、友人関係が構築された友人候補ペアにインセンティブを付与することもできる。インセンティブ付与部２１０は、インセンティブを付与した場合には、付与したインセンティブやインセンティブを付与した旨の通知を仲介結果に含める。
【００５５】
インセンティブは、例えば、対象アプリで利用可能な通貨やアイテム、携帯通信事業者による、通信利用料や携帯端末購入代金への変換が可能なポイント、アプリ提供事業者等が運営するオンラインショッピングサイトで割引に利用可能なポイント、実際にある映画館やレジャー施設のチケットや割引クーポン、飲食店の割引クーポン等である。
【００５６】
結果送信部２２０は、仲介ユーザ端末３０に仲介結果を送信する。また、結果送信部２２０は、仲介結果を履歴記憶部２３０に記憶する。
【００５７】
仲介支援ユーザ抽出部２４０は、仲介ユーザ、および友人候補ペア特定部１８０で特定された友人候補ペアと友人関係にあるユーザを、仲介支援ユーザとして、関係記憶部１２０から抽出する。仲介支援ユーザは複数であってもよい。
【００５８】
仲介要求部２５０は、仲介支援ユーザ抽出部２４０で抽出された仲介支援ユーザに友人候補ペアの仲介支援の承認要求を送信する。承認要求には、仲介ユーザ、友人候補ペアの情報が少なくとも含まれる。
【００５９】
仲介支援ユーザ通知部２６０は、仲介支援ユーザから、承認要求に応じて友人候補ペアの仲介支援を承認した旨の応答を受信した場合には、仲介支援を承認した仲介支援ユーザを友人候補ペアに通知する。仲介支援を承認した仲介支援ユーザを友人候補ペアに通知した後、仲介支援ユーザ通知部２６０は、インセンティブ付与部２１０に、仲介支援ユーザの情報を送信する。それにより、インセンティブ付与部２１０は、仲介結果に含まれる友人関係構築結果に応じて、仲介支援ユーザにもインセンティブを付与することができる。このように、他のユーザから仲介が支援されていることがわかることにより、友人関係を構築しやすくできる。
【００６０】
一方、仲介支援ユーザ通知部２６０は、仲介支援ユーザから、承認要求に応じて友人候補ペアの仲介支援を承認しない旨の応答を受信した場合には、友人候補ペアに何も通知しなくてもよいし、仲介を支援していないユーザとして仲介支援ユーザを友人候補ペアに通知してもよい。他のユーザから仲介が支援されていないことがわかることにより、友人関係を構築するか否かの判断をしやすくすることもできる。
【００６１】
＜仲介ユーザ端末の機能構成＞
図３に示すように、仲介ユーザ端末３０は、申請要求送信部３１０、仲介友人リスト取得部３２０、友人候補送信部３３０、および結果受信部３４０を備える。
【００６２】
申請要求送信部３１０は、アプリをプレイ中のユーザが、自身の友人の友人関係の構築の仲介をする旨の指示をしたことに応じて、ユーザ間の友人関係の構築を仲介することを申請する申請要求を送信する。また、アプリをプレイ中のユーザが、自身の友人全てが含まれる友人リストが必要となった際に、ユーザが友人リストの表示指示がされたことに応じて、申請要求送信部３１０は、友人リストの取得要求と併せて申請要求を送信する。
【００６３】
ユーザが友人リストの表示指示を行うのは、例えば、以下のような場合である。ゲームのアプリをプレイ中に、敵を倒すといった他のユーザと協力しながら目的を達成する場合に、友人に協力を求めるときにユーザは友人リストの表示指示を行う。また、ユーザが自身の友人を確認したいときにユーザは友人リストの表示指示を行う。
【００６４】
仲介友人リスト取得部３２０は、仲介装置１０の仲介友人リスト提供部１６０から仲介友人リストを取得する。取得された仲介友人リストは、仲介ユーザ端末３０の表示部（図示せず）に表示される。
【００６５】
友人候補送信部３３０は、表示部に表示された仲介友人リストの中から仲介ユーザが選択した、複数のユーザを友人候補として送信する。例えば、仲介友人リストが、仲介ユーザの友人であるが互いには友人関係にないグループ「Ｘ，Ｙ，Ｚ」、ペア「Ｘ，Ｙ」、ペア「Ｘ，Ｚ」、ペア「Ｙ，Ｚ」を含んでいる場合には、仲介ユーザは、この４つのグループおよびペアの中から友人候補を選択する。
【００６６】
結果受信部３４０は、仲介結果を仲介装置１０から受信する。仲介結果から、友人候補送信部３３０で送信した友人候補から特定される友人候補ペアについての友人関係が構築されたか否かの結果や、自身に付与されたインセンティブの情報や、インセンティブが付与された否かを、仲介ユーザは知ることができる。
【００６７】
＜仲介処理フロー＞
図４は、本発明の第１の実施形態に係る仲介システムの処理フローを示す図である。本処理は、アプリのプレイ中のユーザが、自身の友人の友人関係の構築の仲介をする旨の指示、または、友人リストの表示指示が仲介ユーザ端末３０に入力されたことに応じて処理が開始する。
【００６８】
まず、ステップＳ１０１において、申請要求送信部３１０は、仲介の申請要求を仲介装置１０に送信する。
【００６９】
次に、ステップＳ１０２において、申請要求受付部１１０は、仲介ユーザ端末３０から、仲介の申請要求を受け付ける。
【００７０】
次に、ステップＳ１０３において、仲介友人リスト抽出部１３０は、ステップＳ１０２で申請要求を受け付けたことに応じて、関係記憶部１２０を参照して、仲介ユーザの友人ユーザを含む友人グループを作成し、作成した友人グループの中から友人関係にないユーザ同士を対応付けた仲介友人リストを抽出する。
【００７１】
次に、ステップＳ１０４において、仲介友人リスト提供部１６０は、仲介友人リスト抽出部１３０で抽出された仲介友人リストを仲介ユーザ端末３０に提供する。
【００７２】
次に、ステップＳ１０５において、仲介友人リスト取得部３２０は、仲介友人リスト提供部１６０から仲介友人リストを取得し、取得した仲介友人リストを表示部に表示する。
【００７３】
次に、ステップＳ１０６において、友人候補送信部３３０は、ステップＳ１０５で表示部に表示された仲介友人リストの中から仲介ユーザが選択した、複数のユーザを友人候補として送信する。
【００７４】
次に、ステップＳ１０７において、友人候補受付部１７０は、友人候補送信部３３０から、友人候補を受け付ける。
【００７５】
次に、ステップＳ１０８において、友人候補ペア特定部１８０は、ステップＳ１０７で受け付けた友人候補から友人候補ペアを特定する。
【００７６】
次に、ステップＳ１０９において、構築要求送信部１９０は、ステップＳ１０８で特定された友人候補ペアそれぞれに相手との友人関係の構築を求める構築要求を送信する。
【００７７】
次に、ステップＳ１１０において、更新部２００は、友人候補ペアの両方からの構築要求に対する応答が、構築要求を承認したことを示すか否かを判断する。両方からの応答が構築要求を承認したことを示す場合（ＹＥＳ）には、ステップＳ１１１に処理を進める。一方、応答の少なくとも一方が、構築要求を承認しなかったことを示す場合には、ステップＳ１１３に処理を進める。
【００７８】
次に、ステップＳ１１１において、更新部２００は、友人候補ペアの友人関係が構築されるように、関係記憶部１２０を更新し、仲介結果を作成する。なお、更新部２００は、関係記憶部１２０を更新しなかった場合にも、仲介結果を作成する。
【００７９】
次に、ステップＳ１１２において、インセンティブ付与部２１０は、関係記憶部１２０が更新された場合に、仲介結果に基づいてインセンティブを仲介ユーザに付与し、付与したインセンティブやインセンティブを付与した旨を仲介結果に含める。
【００８０】
次に、ステップＳ１１３において、結果送信部２２０は、仲介結果を仲介ユーザ端末３０に送信する。
【００８１】
以上、説明したように、本実施形態によれば、友人関係構築の仲介に対してインセンティブを付与することによって、友人関係構築の仲介を誘発することができ、友人からの仲介を受けることで友人関係を構築しやすくすることができる。
【００８２】
＜第２の実施形態＞
図５を用いて、本発明の第２の実施形態について説明する。なお、本実施形態における仲介装置は、友人関係を構築したペアの優先順位に応じて、仲介成立時に付与するインセンティブを決定する。なお、第１の実施形態と同一の符号を付す構成要素については、同一の機能を有することから、その詳細な説明は省略する。
【００８３】
＜仲介装置の機能構成＞
図５に示すように、仲介装置１１は、申請要求受付部１１０、関係記憶部１２０、仲介友人リスト抽出部１３０、友人候補ペア特定部１８１、活動履歴記憶部１４０、ペア優先順位付与部２７０、友人候補ペア提供部２８０、友人候補ペア受付部２９０、構築要求送信部１９０、更新部２００、インセンティブ付与部２１１、結果送信部２２０、および履歴記憶部２３０を備える。
【００８４】
友人候補ペア特定部１８１は、仲介友人リスト抽出部１３０で抽出された仲介友人リストから、友人候補ペアを特定する。
【００８５】
ペア優先順位付与部２７０は、活動履歴記憶部１４０に記憶されている活動履歴に基づいて、友人候補ペア特定部１８１で特定された友人候補ペアの優先順位を決定し、友人候補ペアと優先順位とを対応付けた友人候補ペアリストを作成する。ここで、優先順位は、アプリを提供する事業者が、友人関係を構築させたい順番である。
【００８６】
例えば、アプリを提供する事業者がアプリからの離脱率を低下させたい場合には、友人数が少ないユーザと友人数が多いユーザとのペアの優先順位を高くする、一方、アプリの利用を活性化したい場合には、コミュニケーション頻度が高いが友人数が少ないユーザと、ユーザ数は多いがコミュニケーション頻度が低いユーザとのペアの優先順位を高くする。このように、友人関係を構築させる目的に応じて、優先順位を決定する判断材料として使用する活動履歴や判断基準を変えることができる。
【００８７】
友人候補ペア提供部２８０は、ペア優先順位付与部２７０で作成された友人候補ペアリストを、仲介ユーザ端末３０に提供する。
【００８８】
友人候補ペア受付部２９０は、友人候補ペア提供部２８０で提供した友人候補ペアリストの中に含まれる友人候補ペアの中から、仲介ユーザが選択した友人候補ペアを仲介ユーザ端末３０から受け付ける。
【００８９】
インセンティブ付与部２１１は、仲介結果に含まれる友人関係構築結果に応じて、インセンティブを仲介ユーザに付与する。インセンティブ付与部２１１は、友人関係が構築された友人候補ペアにインセンティブを付与することもできる。インセンティブ付与部２１１は、仲介ユーザ端末３０や友人候補ペアの端末（被仲介ユーザ端末４０）に付与したインセンティブや、インセンティブを付与した旨の通知を仲介結果に含める。
【００９０】
インセンティブ付与部２１１は、仲介結果を参照して、友人関係が構築された友人候補ペアにペア優先順位付与部２７０で付与された優先順位に応じて、インセンティブを決定する。例えば、インセンティブ付与部２１１は、インセンティブに予め順位が付けられていて、優先順位に対応する順位のインセンティブを付与したり、ポイントやアプリ内の通貨をインセンティブとする場合には、予め設定された基準値に優先順位をかけることで算出したインセンティブを付与したりする。
【００９１】
＜仲介ユーザ端末の機能構成＞
図６に示すように、仲介ユーザ端末３１は、申請要求送信部３１０、友人候補ペア取得部３５０、友人候補ペア送信部３６０、および結果受信部３４０を備える。
【００９２】
友人候補ペア取得部３５０は、仲介装置１１から友人候補ペアを取得し、取得した友人候補ペアを表示部（図示せず）に表示する。
【００９３】
友人候補ペア送信部３６０は、表示部に表示された友人候補ペアの中から、仲介ユーザが選択した友人候補ペアを仲介装置１１に送信する。
【００９４】
以上、説明したように、本実施形態によれば、友人候補ペアに、アプリを提供する事業者が友人関係を構築させたい順番である優先順位を付与することで、仲介ユーザに友人関係を構築させたい友人候補ペアを知らせることができる。また、優先順位に応じて、仲介ユーザのインセンティブを決定することにより、アプリを提供する事業者が友人関係を構築させたい友人候補ペア、すなわち、アプリにとって有効な友人関係構築の仲介を仲介ユーザに誘発することができる。
【００９５】
なお、仲介システムの処理をコンピュータシステムが読み取り可能な記録媒体に記録し、この記録媒体に記録された仲介システムに読み込ませ、実行することによって本発明の仲介システムを実現することができる。ここでいうコンピュータシステムとは、ＯＳや周辺装置等のハードウェアを含む。
【００９６】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００９７】
また、上記プログラムは、前述した機能の一部を実現するためのものであってもよい。更に、前述した機能をコンピュータシステムにすでに記録されているプログラムとの組み合せで実現できるもの、いわゆる差分ファイル（差分プログラム）であってもよい。
【００９８】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００９９】
１              仲介システム
１０，１１      仲介装置
２０            ユーザ端末
３０            仲介ユーザ端末
４０            被仲介ユーザ端末
１１０          申請要求受信部
１２０          関係記憶部
１３０          仲介友人リスト抽出部
１４０          活動履歴記憶部
１５０          ユーザ優先順位付与部
１６０          仲介友人リスト提供部
１７０          友人候補受付部
１８０，１８１  友人候補ペア特定部
１９０          構築要求送信部
２００          更新部
２１０，２１１  インセンティブ付与部
２２０          結果送信部
２３０          履歴記憶部
２４０          仲介支援ユーザ抽出部
２５０          仲介要求部
２６０          仲介支援ユーザ通知部
２７０          ペア優先順位付与部
２８０          友人候補ペア提供部
２９０          友人候補ペア受付部
３１０      申請要求送信部
３２０      仲介友人リスト取得部
３３０      友人候補送信部
３４０      結果受信部
３５０      友人候補ペア取得部
３６０      友人候補ペア送信部
【図１】
2015176419.tif 000003
【図２】
2015176419.tif 000004
【図３】
2015176419.tif 000005
【図４】
2015176419.tif 000006
【図５】
2015176419.tif 000007
【図６】
2015176419.tif 000008